(57)【特許請求の範囲】
【請求項１】
左端及び右端を備えて所定の保持手段で保持されて長手方向を有する第１物干し部と、
前記第１物干し部に対して移動可能に設けられて物体を吊り下げるための複数の孔部を有する第２物干し部と、を有し、
前記第２物干し部は、前記第１物干し部の長手方向中央から前記左端に向かう方向又は前記右端に向かう方向に、前記孔部に前記物体が吊り下げられた状態で前記第１物干し部と干渉することなく所定位置から移動可能に設けられており、
前記第２物干し部が前記所定位置にあるときは、前記第１物干し部に前記物体が吊り下げられた場合にはその物体が前記所定位置にある前記第２物干し部と干渉し、
前記第２物干し部が移動することで、前記第２物干し部と干渉することなく前記第１物干し部に前記物体を吊り下げるスペースが前記所定位置に形成される、
物干し具。
【請求項２】
前記第１物干し部には、前記物体を吊り下げるための複数の孔部が設けられている、
請求項１に記載の物干し具。
【請求項３】
前記所定位置は、前記第１物干し部の前記長手方向中央の近傍である、請求項１又は２に記載の物干し具。
【請求項４】
前記第１物干し部は、その上端側で前記保持手段に保持され、
前記第２物干し部の上端側の少なくとも一部は、前記第１物干し部の下端側に係合されている、請求項１乃至３のいずれか一項に記載の物干し具。
【請求項５】
前記第１物干し部には、前記第２物干し部がそれぞれ前記第１物干し部に対して移動可能に複数設けられている、請求項１乃至４のいずれか一項に記載の物干し具。
【請求項６】
前記第１物干し部の前記下端側には、前記第２物干し部との係合部が前記長手方向に沿って並列に複数設けられ、前記第２物干し部は、互いに干渉することなくそれぞれ前記第１物干し部に対して移動可能に前記係合部と係合する、請求項４又は５に記載の物干し具。
【請求項７】
前記第２物干し部は長手状であり、その上端側の一部に前記第２物干し部の長手方向に対して垂直方向に延びる突出部を有し、前記突出部の上端側が前記第１物干し部の前記下端側と係合することで、前記第２物干し部は前記第１物干し部との間に空隙部が形成された状態で前記所定位置から移動可能とされている、請求項４乃至６のいずれか一項に記載の物干し具。
【請求項８】
前記複数の孔部には、第１の孔部と、前記第１の孔部よりも前記物干し具の中央部から遠い位置に設けられて前記第１の孔部よりも小さい第２の孔部と、が含まれる、請求項１に記載の物干し具。
【請求項９】
前記第２物干し部は、前記左端に向かう方向又は前記右端に向かう方向に所定位置から移動した後は、その一部が前記第１物干し部の端部から突出する、請求項１乃至８のいずれかに記載の物干し具。
【請求項１０】
左端及び右端を備えて所定の保持手段で保持される長手状の第１小物かけ部と、
前記第１小物かけ部に対して移動可能に設けられて物体を吊り下げるための複数の孔部を有する第２小物かけ部と、を有し、
前記第２小物かけ部は、前記第１小物かけ部の長手方向中央から前記左端に向かう方向又は前記右端に向かう方向に、前記孔部に前記物体が吊り下げられた状態で前記第１小物かけ部と干渉することなく所定位置から移動可能に設けられており、
前記第２小物かけ部が前記所定位置にあるときは、前記第１小物かけ部に前記物体が吊り下げられた場合にはその物体が前記所定位置にある前記第２小物かけ部と干渉し、
前記第２小物かけ部が移動することで、前記第２小物かけ部と干渉することなく前記第１小物かけ部に前記物体を吊り下げるスペースが前記所定位置に形成される、
小物かけ具。
【請求項１１】
左端及び右端を備えて所定の保持手段で保持され、かつ、物体を吊り下げることが可能である長手状の第１物体吊り下げ部と、
前記第１物体吊り下げ部に対して移動可能に設けられて物体を吊り下げるための複数の孔部を有する第２物体吊り下げ部と、を有し、
前記第２物体吊り下げ部は、前記第１物体吊り下げ部の長手方向中央から前記左端に向かう方向又は前記右端に向かう方向に、前記孔部に前記物体が吊り下げられた状態で前記第１物体吊り下げ部と干渉することなく所定位置から移動可能に設けられており、
前記第２物体吊り下げ部が前記所定位置にあるときは、前記第１物体吊り下げ部に前記物体が吊り下げられた場合にはその物体が前記所定位置にある前記第２物体吊り下げ部と干渉し、
前記第２物体吊り下げ部が移動することで、前記第２物体吊り下げ部と干渉することなく前記第１物体吊り下げ部に前記物体を吊り下げるスペースが前記所定位置に形成される、
物体吊り下げ具。
【発明の詳細な説明】
【技術分野】
【０００１】
本発明は、物干し具や小物かけ具のような物体吊り下げ具に関する。また、本発明は、テープカッターに関する。
【背景技術】
【０００２】
従来、竿や棒などを所定の高さに支持し、これら竿や棒に物体を吊り下げる物体吊り下げ具が知られている。このような物体吊り下げの一例として、物干し竿や小物かけ等が挙げられる。このような物体吊り下げ具では、洗濯物やタオル等の物体が直接竿にかけて吊り下げられるか、あるいはハンガー等を用いて吊り下げられる。
【０００３】
以下、主に物干し具を例にとって説明する。物干し具は、物体を吊り下げる必要上、例えば天井に固定されあるいは吊り下げられ、また、地面に戴置される支持台等によって所定の高さに支持される。
物干し具は通常安価で設置が容易であることから広く用いられている。特に、家庭においては庭やベランダ等に物干し台をおいて物干し具をこの物干し台により支持して用いることが多い。また、マンションのベランダや室内の天井に物干し具を固定しあるいは吊り下げて洗濯物などを干すこともある。
【０００４】
一方、洗濯物等、物干し具に吊り下げられた物体が風で落下することを防ぐために、物干し具にハンガーの先端を挿入するための孔部を複数設けることも知られている。この場合、吊り下げられる物体をハンガーにかけたうえで、ハンガーを物干し具の孔部に挿入する。従って、強い風がふいてもハンガー及び洗濯物等の物体が落下するおそれは非常に小さくなる。
物干し具は、ベランダ等の比較的狭いスペースに配置されることがある。物干し具を庭に配置する場合でも、クーラー室外機等の障害物等によって、人間が移動するスペースが制限され、物干し具において手が届かない部分が発生する場合もある。
【０００５】
以下、洗濯物を物干し具に干す場合を例にして説明する。ユーザの移動が制限されていて物干し具にユーザの手が届かない部分（例えば物干し具の中央から離れた部分や端部付近）がある場合、この部分は、実質的に洗濯物を吊り下げることができないデッドスペースとなってしまう。また、物干し具の手が届きにくい部分では、無理な体勢で洗濯物を干したり取り込んだりする必要があり、ユーザに負担がかかることになる。更に、老人や障がい者など、自由な移動が困難な人にとっては、できるだけ移動することなく洗濯物を吊り下げて取り込むことが必要となる。
更に、物干し具が部屋の窓の近くに有る場合、窓から手が届く範囲では、部屋から外にでずに室内から物干し具に洗濯物を干し、あるいは洗濯物の取り込みを行うことができる。しかしながら、窓から手が届く範囲は限られているため、室内から洗濯物を干す場合、上記のようなデッドスペースが発生する。また、窓から手を伸ばして洗濯物を干す場合、無理な体勢を強いることでユーザに負担がかかってしまう。
従って、ユーザの移動範囲に制限がある場合、物干し具の端付近に洗濯物を吊り下げることが困難な場合がある。
【０００６】
このような課題を解決するために、特許文献１には、物干し竿に２つの定滑車間にロープを横送り移動可能に設けた移動機構を設けることが記載されている。この技術においては、このロープに固定可能な専用のハンガーを用意し、この専用のハンガーを、洗濯物がかけられた状態でロープに固定する。そして、ハンガーをロープとともに横送りすることで、手が届きにくい物干し具の先端へとハンガーを物干し竿に沿って移動させる。これにより、物干し具全体に洗濯物を吊り下げることが可能となっている。
【０００７】
また、従来、セロハンテープやビニールテープ等の、ロール状に巻回されたテープをカットするために用いられるテープカッターが知られている。特に、テープの少なくとも一方側が粘着面とされた粘着テープをカットするためのテープカッターも知られている。
物品の所定の位置にテープを貼る場合、ユーザは、巻回されたテープの自由端を指で掴む。その後、所望の長さにテープを引き出してテープカッターでカットし、カットされたテープを所定の位置に貼り付ける。
従って、テープの自由端を掴むときには、ユーザの指がテープの粘着面に必ず接触する。その結果、テープの粘着面に指紋が残るおそれがある。テープに付着された粘着剤によりユーザの指が汚れたり、かぶれたりするおそれがある。更に、テープを直接指で掴んでいることから、テープを貼る位置を位置決めしづらく、また、指先は平坦ではないことからテープが曲がったり捩れたりするおそれもある。
【０００８】
なお、テープの粘着剤の材質も、ユーザの指に接触しても問題が生じない、毒性の低い材質を使用する必要がある。例えば工業用途において、接着力を高める等の目的に応じて、ある程度毒性を有する粘着剤を用いたテープが望まれる場合がある。しかし、従来技術においては、上述のようにユーザの指がテープの粘着剤と直に接触することから、毒性がない、又は非常に毒性が低い粘着剤しか使用が許されなかった。
このような課題を解決するために、特許文献２には、指にテープを接着させることなくテープを引き出すことが可能なテープカッターが開示されている。この従来技術においては、テープの粘着面が付着される剥離ローラと、圧着ローラ及び押さえローラとを用いている。圧着ローラ及び押さえローラは、剥離ローラとはテープを挟んで反対側に設けられ、これらのローラがテープを挟んで押さえた状態で回転することで、テープがローラの回転方向へと引き出される。従って、ユーザは直接指を触れることなくテープを引き出すことができる。
【先行技術文献】
【特許文献】
【０００９】
【特許文献１】特開平６−１５４４８２号公報
【特許文献２】特開平１１−９２０１６号公報
【発明の概要】
【発明が解決しようとする課題】
【００１０】
特許文献１に記載された方法では、物干し具にロープと定滑車を設ける必要があり、また、専用のハンガーを用意する必要があるのでコストが高くなる。更に、この方法では、ハンガーは通常の物干し具と同様に物干し具に懸けられた状態で移動する。従って、ハンガーと物干し具との摩擦により、ハンガーの移動が困難になる場合がある。従って、物干しに洗濯物等の物体を容易に吊り下げることは困難となるおそれがあった。
一方、特許文献２に記載されたテープカッターは、剥離ローラ、圧着ローラ及び押さえローラという３つのローラを有する複雑で高価な構成が必要となる。更に、剥離ローラにはテープの粘着面が付着するので、テープとの密着性が高い。その一方、圧着ローラ及び押さえローラは、粘着剤が塗布されていないほうのテープ表面に接するので、テープとの密着力及び摩擦力は小さい。従って、これらローラを回転させてもテープは剥離ローラに付着したままで剥離ローラに巻回され、ユーザがテープを引き出すことができないおそれもある。
【００１１】
本発明は、上述の課題を解決するためになされたものであり、物体を吊り下げやすい物干し具を提供することを目的とする。また、ユーザの移動が制限されていても、洗濯物等の物体を物干し具の端部に吊り下げることが可能な物干し具を提供することも目的とする。更に、本発明は、ユーザが手を触れることなくテープを引き出すことができるテープカッターを提供することも目的とする。
【課題を解決するための手段】
【００１２】
上記課題を解決するために、本発明に係る物体吊り下げ具は、左端及び右端を備えて所定の保持手段で保持される長手状の第１物体吊り下げ部と、前記第１物体吊り下げ部に対して移動可能に設けられた第２物体吊り下げ部と、を有する。前記第２物体吊り下げ部は、物体が吊り下げられた状態で、前記第１物体吊り下げ部の長手方向の中央から前記左端に向かう方向又は前記右端に向かう方向に所定位置から移動可能に設けられている。
【００１３】
また、本発明によれば、第１の構成のテープカッターとして、テープがロール状に巻回されて形成されるテープロールに（好ましくは着脱自在に）設けられる保持具と、前記テープをカットする切断歯を備えたカッター部と、を有し、前記テープは、その両面のうち少なくとも一方の面が粘着面とされており、前記カッター部は、前記保持具に着脱自在に設けられ、前記保持具は、前記テープロールに沿って移動可能であり、前記切断歯は、前記カッター部が前記保持具に装着された状態で前記粘着面と接触して前記テープをカットし、かつ、前記テープの切断後には、前記テープロールから延びているテープが前記接触により前記切断歯に付着されるものであり、前記カッター部は、前記テープロールから延びているテープが前記切断歯に付着された状態で前記保持具から離脱可能である、テープカッターが得られる。
【００１４】
また、第２の構成のテープカッターとして、テープがロール状に巻回されて形成されるテープロールに着脱自在に設けられる第１保持具及び第２保持具と、それぞれ前記テープをカットする切断歯を備えた第１カッター部及び第２カッター部と、を有し、前記テープは、その両面のうち少なくとも一方の面が粘着面とされており、前記第１カッター部は、前記第１保持具に着脱自在に設けられ、前記第２カッター部は、前記第２保持具に着脱自在に設けられ、前記第１保持具及び第２保持具は、それぞれ前記テープロールに沿って移動可能であり、前記切断歯は、前記第１カッター部が前記第１保持具に装着された状態、又は前記第２カッター部が前記第２保持具に装着された状態で、前記粘着面と接触して前記テープをカットし、かつ、前記テープの切断後には、前記テープロールから延びているテープが前記接触により前記切断歯に付着されるものであり、前記第１カッター部は、前記テープロールから延びているテープがその切断歯に付着された状態で前記第１保持具から離脱可能であり、前記第２カッター部は、前記テープロールから延びているテープがその切断歯に付着された状態で前記第２保持具から離脱可能であり、前記第１カッター部は前記第２保持具に、前記第２カッター部は前記第１保持具に、それぞれ入れ替え可能である、第１の構成に記載のテープカッターも得られる。
【００１５】
また、第３の構成のテープカッターとして、前記テープロールから延びているテープが前記第１カッター部の切断歯に付着された状態で前記第１カッターが前記第１保持具から離脱しているときに、前記第２カッター部は前記第２保持具から前記第１保持具へと入れ替えられ、前記第２カッター部は、前記入れ替えられた状態で、前記テープロールから延びた前記テープをその切断歯により切断し、前記第１カッター部に付着した前記テープがテープを貼る対象物に貼られて前記第１カッター部から外された後に、前記第１カッター部が前記第２保持具へと装着可能となるように構成された、第２の構成に記載のテープカッターも得られる。
【００１６】
更に、第４の構成のテープカッターとして、前記第１保持具と前記第２保持具との少なくとも一方には、前記テープロールに取付けられた状態で他方を係合するための係合部が設けられている、第２の構成又は第３の構成に記載のテープカッターも得られる。  第５の構成のテープカッターとして、前記第１保持具と前記第２保持具との少なくとも一方には、前記テープロールに取付けられた状態で磁力により前記第１保持具及び第２保持具が互いに引き合うように、磁化された部位が設けられている、第２〜４のいずれかの構成に記載のテープカッターも得られる。  第６の構成のテープカッターとして、テープがロール状に巻回されて形成されるテープロールを回転可能に収容する本体部と、前記テープをカットする切断歯を備えて前記本体部に着脱自在に取付けられるカッター部と、を有し、前記テープは、その両面のうち少なくとも一方の面が粘着面とされており、前記切断歯は、前記カッター部が前記本体部に装着された状態で前記粘着面と接触して前記テープをカットし、かつ、前記テープの切断後には、前記テープロールから延びているテープが前記接触により前記切断歯に付着されるものであり、前記カッター部は、前記テープロールから延びている前記テープが前記切断歯に付着された状態で前記本体部から取り外し可能である、テープカッターも得られる。
【００１７】
第７の構成のテープカッターとして、テープがロール状に巻回されて形成されるテープロールを回転可能に収容する本体部と、前記テープをカットする第１切断歯を備えて前記本体部の第１位置に着脱自在に取付けられる第１カッター部と、前記テープをカットする第２切断歯を備えて前記本体部の第２位置に着脱自在に取付けられる第２カッター部と、を有し、前記テープは、その両面のうち少なくとも一方の面が粘着面とされており、前記第１切断歯は、前記第１カッター部が前記第１位置に装着された状態で前記粘着面と接触して前記テープをカットし、かつ、前記テープの切断後には、前記テープロールから延びているテープが前記接触により前記第１切断歯に付着されるものであり、前記第２切断歯は、前記第２カッター部が前記第２位置に装着された状態で前記粘着面と接触して前記テープをカットし、かつ、前記テープの切断後には、前記テープロールから延びているテープが前記接触により前記第２切断歯に付着されるものであり、前記第１カッター部は、前記テープロールから延びている前記テープが前記第１切断歯に付着された状態で前記第１位置から離脱可能であり、前記第２カッター部は、前記テープロールから延びている前記テープが前記第２切断歯に付着された状態で前記第２位置から離脱可能であり、前記第１カッター部は前記第２位置に、前記第２カッター部は前記第１位置に、それぞれ着脱自在に設けられ得る、テープカッターも得られる。
【００１８】
第８の構成のテープカッターとして、前記第１カッター部が前記テープロールから延びているテープがその切断歯に付着された状態で前記第１カッター部が前記第１位置から離脱したときに、前記第２カッター部は前記第２位置から前記第１位置へと入れ替えられ、前記第２カッター部は、前記入れ替えられた状態で、前記テープロールから延びた前記テープをその切断歯により切断し、前記第１カッター部に付着した前記テープがテープを貼る対象物に貼られて前記第１カッター部から外された後に、前記第１カッター部を前記第２位置へと装着可能となるように構成された、第７の構成に記載のテープカッターも得られる。  第９の構成のテープカッターとして、前記本体部と前記第１カッター部との少なくとも一方は、前記第１カッターが前記第１位置に取付けられた状態で磁力により互いに引き合うように磁化された部位が設けられている、第８の構成に記載のテープカッターも得られる。
【発明の効果】
【００１９】
本発明に係る物干し具によれば、長手状の第１物体吊り下げ部が所定位置に保持される一方で、第２物体吊り下げ部は、物体が吊り下げられた状態で、第１物体吊り下げ部の長手方向中央から左端に向かう方向又は右端に向かう方向に所定位置から移動可能に設けられている。
吊り下げられた物体は、第２物体吊り下げ部とともに第１物体吊り下げ部の左右いずれかの端部に移動して、移動後の位置で第２物体吊り下げ部から吊り下げられた状態になる。従って、ユーザは、第１物体吊り下げ部の端に移動することなく、所定の位置で吊り下げた物体を、第１物体吊り下げ部の端部に向かって移動させることができる。
従って、ユーザの移動範囲が制限されていても、洗濯物等の物体を容易に物体吊り下げ具の中心から離れた位置に吊り下げることが可能な物体吊り下げ具が得られる。
また、本発明に係るテープカッターによれば、カッター部が保持具に着脱自在に設けられ、また、保持具は、テープロールに沿って移動可能である。更に、カッター部に設けられた切断歯は、カッター部が保持具に装着された状態でテープの粘着面と接触してテープをカットする。テープの切断後には、前記テープロールから延びているテープが切断歯に付着されたままとなる。従って、ユーザは、テープが付着したカッター部を持って移動させることで、テープやテープの粘着面に手を触れることなくテープを移動させて任意の箇所に貼り付け、また、テープの切断を行うことができる。
【図面の簡単な説明】
【００２０】
【図１】本発明に係る物干し具の概略説明図。
【図２】物干し具の断面図。
【図３】（ａ）〜（ｅ）は、洗濯物を吊り下げた状態での物干し具の概略説明図。
【図４】本発明に係る物干し具の概略説明図。
【図５】水平突起部を備えた支柱により支持された物干し具の概略説明図。
【図６】物干し具を長手の支持体に吊り下げて保持する形態の概略説明図。
【図７】第２物干し部及び第３物干し部を第１物干し部との間に空隙部が形成されるようにして設けた形態の概略説明図。
【図８】端部に近い孔部を小さくした物干し具の概略説明図。
【図９】円弧状の物干し具の平面図。
【図１０】カバー付き物干し具の概略説明図。
【図１１】テープカッターの正面図
【図１２】（ａ）、（ｂ）は、テープカッターがテープロールに設けられた状態の説明図。
【図１３】（ａ）〜（ｆ）は、保持具、カッター部及びテープロールの左側面図及び正面図。
【図１４】（ａ）〜（ｃ）は、２つのテープカッターを用いたテープの貼り方の説明図。
【図１５】（ａ）〜（ｃ）は、単一のテープカッターを用いたテープの貼り方の説明図。
【図１６】保持具にローラ及びマジックテープを設けた実施形態の説明図。
【図１７】（ａ）〜（ｃ）は、本体部とカッター部とを備えたテープカッターの説明図
【図１８】（ａ）、（ｂ）は、本体部の構成要素の平面図。
【図１９】（ａ）はカッター部の斜視図、（ｂ）は、カッター部の各構成要素の平面図。
【図２０】（ａ）、（ｂ）は、２つのカッター部を用いてテープの貼り方の説明図。
【発明を実施するための形態】
【００２１】
[第１実施形態]
図１に、物体吊り下げ具として、洗濯物等を干すための物干し具を例にとって本発明の第１実施形態に係る物体吊り下げ具の概略説明図を示す。なお、この発明は物干し具に限定されるものではなく、任意の物体が吊り下げられて支持される任意の物体吊り下げ具に適用可能なものである。
【００２２】
この図において、物干し具１００は、それぞれ長手状の第１物干し部１０１と、第１物干し部１０１に対して相対移動可能に設けられた第２物干し部１０２及び第３物干し部１０３を有する。
また、第２物干し部１０２及び第３物干し部１０３には、チェーン１０４、１０５がそれぞれ設けられている。第２物干し部１０２は第１物干し部１０１の右端に移動可能であり、ユーザは、第２物干し部１０２の一部を掴んで、第１物干し部１０１に沿って左右方向に自由に第２物干し部１０２を移動させることができる。
【００２３】
なお、ユーザは、右端に移動後の第２物干し部１０２の一部を掴んで第１物干し部１０１の中央に戻すこともできるが、第２物干し部１０２の左端に設けられたチェーン１０４を掴むことで、第２物干し部１０２を一層容易に移動させることができる。同様に、第３物干し部１０３も、チェーン１０５を設けたことで一層容易に移動させることができる。なお、チェーンに替えてスティックや紐等の、ユーザが掴むことができる物体を設けてもよい。
また、物干し具１００の第１物干し部１０１は、その上端側が、支柱等の図示されない所定の保持具の下端側に係合して保持されている。なお、この明細書では、互いに固定されているか又は自由に移動可能であるかを問わずに一方の物体が他方の物体に、接続、結合、固定、嵌合等の何らかの係り合いを有することを「係合する」と記載する。また、保持具の上端側は、ベランダの天井に固定されている。このような構成により、物干し具１００は、第１物干し部１０１を通じてベランダの天井部に吊り下げられて所定の高さに保持されている。
【００２４】
第１物干し部１０１には、その上端と下端との間の領域である中間部に、第１物干し部１０１の前面及び背面を貫通する複数の孔部１１０が設けられている。第２物干し部１０２及び第３物干し部１０３にも同様にその中間部に複数の孔部１１０が設けられている。
ハンガー１０６は、図１に示される第１物干し部１０１、第２物干し部１０２又は第３物干し部１０３の前面側から背面側へと、その先端をこれらの孔部１１０に挿入することでぶら下げることができる。従って、予め洗濯物がかけられたハンガー１０６の先端を孔部１１０に挿入するか、あるいは、先にハンガー１０６を孔部１１０に挿入した後に洗濯物をハンガーにかけることで、洗濯物を吊り下げることができる。なお、以下の図においては洗濯物を省略し、ハンガー１０６のみを示す。
【００２５】
図２に、第１物干し部１０１に第２物干し部１０２が係合された状態での断面図を示す。図２に示されるように、第１物干し部１０１の下部は空洞となっており、その下端側には、第１物干し部１０１の前面側から内部方向に延びる爪２０１Ｆと背面側から内部方向に延びる爪２０１Ｂが設けられている。これらの爪２０１Ｆ、２０１Ｂは、第２物干し部１０２及び第３物干し部１０３の上端側との係合部となるレール部２１０を構成する。このレール部２１０は、カーテンレールのように爪２０１Ｆ、２０１Ｂによって物体を支持してぶら下げることができるようになっている。
【００２６】
第２物干し部１０２の上端側には、第１物干し部１０１との係合部として、Ｔ字型の突起部Ｔが設けられている。この第２物干し部１０２の突起部Ｔが第１物干し部１０１の爪２０１Ｆ、２０１Ｂにより支持される。従って、第２物干し部１０２は、第１物干し部１０１の下端側からぶら下げられて左右自由にスライド移動あるいは摺動可能に結合されている。なお、第３物干し部１０３についても同様の構造となっている。この構造により、第２物干し部１０２及び第３物干し部１０３の上端側は、第１物干し部１０１の下端側に摺動可能に係合される。なお、第２物干し部及び第３物干し部１０３は、必ずしもその上端側の全部が第１物干し部の下端側に係合される必要はなく、洗濯物等の重量に耐えられる強度が得られる範囲でその一部が係合していればよい。
【００２７】
なお、第２物干し部１０２、第３物干し部１０３は、第１物干し部１０１に対して自由に相対移動できるものであればよく、図２に示した構造に限定されるものではない。第２物干し部１０２及び第３物干し部１０３を第１物干し部１０１に対して自由に移動させるために任意の構造を採用することができる。
図１に戻ると、この図には、物干し具１００に洗濯物を吊り下げる時の物干し具１００の状態が示される。
第１物干し部１０１の下端側には、第２物干し部１０２及び第３物干し部１０３がそれぞれ第１物干し部１０１に対して左右に相対移動可能に設けられている。また、これらの図において、第２物干し部１０２は右側に、第３物干し部１０３は左側にそれぞれ配置されている。
【００２８】
図１において、第２物干し部１０２の左端及び第３物干し部１０３の右端は第１物干し部１０１の中央で接触している。これにより、第２物干し部１０２の右端と第３物干し部１０３の左端との間の距離は最も短くなり、物干し具１００が全体としてコンパクトになった状態を示している。
【００２９】
洗濯物等を吊り下げていないときには、図１のように物干し具１００をコンパクトな状態にしておくことで、物干し具１００が占有する空間を最小化することもできる。従って、例えば物干し具１００が配置されたベランダで作業等を行う場合に物干し具１００が邪魔になりにくくなる。
図３（ａ）に、洗濯物を吊り下げ始めるときの第２物干し部１０２、第３物干し部１０３の位置を示す。この状態では、第３物干し部１０３は第１物干し部１０１の左端に移動済みであり、第２物干し部１０２は所定位置、つまり、第１物干し部の長手方向における中央部近傍にある。
【００３０】
ユーザは、図３（ａ）の第１物干し具１０１の中央近傍で、第２物干し部１０２に洗濯物を吊り下げる。ここで、第２物干し部１０２は、第１物干し部１０１のすぐ下方にある。従って、この状態で第１物干し部１０１に洗濯物を吊り下げることは可能ではあるが、第１物干し部１０１に吊り下げた洗濯物が第２物干し部１０２自体や、第２物干し部に干した洗濯物やハンガーと干渉するおそれがある。また、洗濯物同士が重なって乾燥しにくくなるおそれもある。
【００３１】
従って、図３（ｂ）に示されるように、ユーザは、第２物干し部１０２を上述した所定の位置から、第１物干し部１０１に対して右方向に相対移動させる。その結果、第２物干し部は、第１物干し部１０１の右端に寄せられる。
以上のように、ユーザは物干し具１００の中央部近傍から移動していないのにもかかわらず、物干し具１００の中央部で吊り下げた洗濯物は、物干し具１００の端部で吊り下げられた状態となる。
これにより、第２物干し部１０２は、移動後において、その一部が第１物干し部１０１の右端部から突出する。なお、この実施形態では、図３（ａ）に示される初期状態においても第２物干し部が第１物干し部の端部から突出している。しかし、第２物干し部１０２が初期状態において第１物干し部１０１の端部から突出しない構成としてもよい。この場合、第２物干し部１０２は、移動後において、その一部が第１物干し部１０１の右端部から突出することが好ましい。
【００３２】
第２物干し部１０２が移動した後には、上述した所定の位置、つまり、第１物干し部１０１の中央部において、第２物干し部１０２と干渉することなく洗濯物等を吊り下げることができるスペースが形成される。物干し具１００に第２物干し部１０２のみが設けられ、第３物干し部１０３が設けられていない場合は、この状態で、第１物干し部１０１に洗濯物を吊り下げる。その結果、移動可能な物干し部を持たない従来の物干し竿に比較して、洗濯物等を２倍吊り下げることができる。
【００３３】
この実施形態では、物干し具１００には第２物干し部１０２だけでなく第３物干し部１０３も設けられている。従って、物干し具１００にできるだけ多量の洗濯物を吊り下げるために、図３（ｂ）の状態から、ユーザは、第３物干し部１０３を第１物干し部１０１の左端から右へと移動させ物干し具１００の中央に配置する。図３（ｃ）にその状態を示す。この図に示されるように、ユーザは、第２物干し部１０２のときと同様に、物干し具１００の中央近傍で洗濯物を第３物干し部１０３に吊り下げることができる。
【００３４】
その後、ユーザは、図３（ｄ）に示されるように、第３物干し部１０３を第１物干し部１０１に対して左方向に相対移動して第１物干し部１０１の左端に寄せる。その結果、第１物干し部１０１の下方に第２物干し部１０２と干渉しないスペースができる。この状態で、物干し具１００の中央近傍で第１物干し部１０１に洗濯物を吊り下げることが可能である。この状態から第１物干し部１０１に洗濯物を吊り下げた状態を図３（ｅ）に示す。
【００３５】
図３（ｅ）では、物干し具１００の中央に位置する第１物干し具１００、右端に位置する第２物干し部１０２及び左端に位置する第３物干し部１０３のすべてに洗濯物がかけられている。また、上述したように、ユーザは、常に物干し具１００の中央部付近で洗濯物を吊り下げることができる。また、洗濯物を取り込む場合には、この図では省略されているが、図１に記載されたチェーン１０４を引っ張るか、あるいは第２物干し部１０２を直接掴んで引っ張ることで、洗濯物を第２物干し部１０２とともに物干し具１００の中央近傍に移動させることができる。第３物干し部１０３についても同様にして、洗濯物を物干し具１００の中央近傍に移動させることができる。
従って、洗濯物を取り込む場合も、ユーザは常に物干し具１００の中央近傍にいればよく、物干し具１００の端に移動する必要はない。
【００３６】
なお、この実施形態では、第２物干し部１０２から洗濯物を吊り下げる例を示したが、第３物干し部１０３から洗濯物を吊り下げてもよい。この場合、第３物干し部１０３を最初に第１物干し部１０１の中央部に配置して洗濯物を吊り下げる。その後、第３物干し部１０３を左に移動して第２物干し部１０２を中央に移動して第２物干し部１０２に洗濯物を吊り下げる。最後に第２物干し部１０２を右に移動し、第１物干し部１０１に洗濯物を吊り下げる。
以上のように、この実施形態によれば、ユーザは、物干し具１００の右端や左端に移動することなく洗濯物を物干し具１００の中央、右端及び左端に吊り下げて取り込むことができる。また、第１物干し部１０１だけでなく、第２物干し部１０２及び第３物干し部１０３にも洗濯物を吊り下げることができる。従って、移動可能な物干し部を持たない物干し竿に比較して、ユーザが移動する必要なく３倍の量の洗濯物を吊り下げることができる。
【００３７】
更に、この実施形態では、第１物干し部１０１に対して相対移動可能である２つの物干し部（第２物干し部１０２、第３物干し部１０３）を設けた例を示した。しかし、この実施形態及び後述する他の実施形態のいずれにおいても、第２物干し部のみを単独で、あるいは３つ以上で複数設けるようにしてもよい。
第２物干し部を単独で設ける場合でも、第１実施形態と同様に、第２物干し部が第１物干し部１０１の中央に位置する状態で洗濯物を第２物干し部に吊り下げ、その後に第２物干し部を第１物干し部１０１の右端又は左端方向に移動させる。これにより、第２物干し部の移動前の位置である、第１物干し部１０１の中央には、第２物干し部と干渉することなく洗濯物等の物体を吊り下げるスペースが形成される。従って、ユーザが移動する必要なく２倍の量の洗濯物を吊り下げることができる。
【００３８】
また、この実施形態において、第２物干し部１０２を右端に移動した場合、第２物干し部１０２と第１物干し部１０１との係合部には、梃子の原理により大きな力がかかる。第３物干し部１０３についても同様である。従って、この実施形態では、物干し具１００の強度を保つために、第１物干し部１０１に図示しないストッパを設け、第２物干し部１０２及び第３物干し部１０３がそれぞれ図３（ｂ）においてＳ１、Ｓ２の位置から外側に移動しないようにした。これにより、物干し具１００の強度が確保されている。
【００３９】
図４に、物干し具１００をベランダの天井から吊り下げて固定した例を示す。この図に示されるように、物干し具１００は、その第１物干し部１０１が支柱４０１、４０２を通じて図示しないベランダの天井に固定されている。また、ベランダへの出入り口４０３は、右側の窓が開いていて左側の窓が閉められている。
通常、ベランダへの出入り口の窓は引き戸になっていて、その右側又は左側のみが開放されて出入り可能になる。以下、ベランダの右の窓を開けた場合を例にとって説明する。
【００４０】
従来の物干し竿を用いて洗濯物を吊り下げる場合、出入り口の右側付近で物干し竿に洗濯物を吊り下げるのであれば、ユーザはベランダにでることなく、室内から手を伸ばして吊り下げることができる。例えば、従来の物干し竿を用いた場合でも、ユーザは、図４において開放された窓のすぐ後にあるハンガー１０６ａは、室内から手を伸ばして取り込むことができる。
【００４１】
しかし、洗濯物が多く、物干し竿のベランダの窓が開いていないほうの出入り口近辺に洗濯物を吊り下げる必要がある場合は、ユーザは、靴を履いてベランダにでるか、あるいは出入り口の窓を右に移動して左側を開放する必要がある。更に、壁の向こう側に吊り下げた洗濯物は、ベランダにでてからでないと取り込むことができない。例えば、従来の物干し竿を用いた場合、図４に示されるハンガー１０６ｂ、１０６ｃに示されるハンガーを取り込む場合、ユーザはベランダにでるために靴やサンダルを掃く必要があり、わずらわしい。
【００４２】
なお、ハンガー１０６ｂ、１０６ｃがある程度出入り口の右側から近いところにある場合は、ユーザが室内から身を乗り出して洗濯物を吊り下げることもできる。しかし、この場合、ユーザは無理な姿勢をとる必要があり、思わぬ怪我をするおそれもある。洗濯物を取り込む場合だけでなく、洗濯物を吊り下げる場合も同様である。
【００４３】
一方、本実施形態に係る物干し具１００を用いて洗濯物を吊り下げる場合、物干し具１００のどの部分に洗濯物を吊り下げて干す場合でも、ユーザは物干し具１００の中央近傍から移動する必要はない。
図４において、ハンガー１０６ａについては、ユーザは室内から手を伸ばしてこれを取り込むことができる。一方、ハンガー１０６ｂについては、ユーザは、第２物干し部１０２の左端もしくはチェーン１０４を引っ張ることで、ハンガー１０６ｂを第２物干し部１０２ごと物干し具１００の中央近傍に移動させることができる。ハンガー１０６ｃについても同様に、第３物干し部１０３とともにハンガー１０６ｃを物干し具１００の中央近傍に移動させることができる。
なお、洗濯物を吊り下げるときも、図１、３を用いて説明した手順により、物干し具１００の中央近傍でハンガー１０６ａ、ハンガー１０６ｂ及びハンガー１０６ｃを用いて洗濯物を吊り下げることができる。
【００４４】
更に、物干し具１００の右端あるいは左端をベランダの端を超えて空中に突き出して設置することもできる。この場合、ユーザは物干し具１００の空中に突き出した部分に移動することはできない。しかし、第２物干し部１０２又は第３物干し部１０３を物干し具１００の中央近傍に移動することで、洗濯物を物干し具１００の空中に突き出した部分に吊り下げ、取り込むことができる。
また、建物の２階や３階など、そもそも外にでることができない場所でも、本実施形態係る物干し具１００を建物の外壁等に固定することで、窓から手の届かない場所にも物干し具１００に自由に洗濯物を吊り下げ、取り込むことができる。
【００４５】
この実施形態では第１物干し部１０１の下部に図２に示されるレール部２１０を設けた例を示した。しかし、このレール部２１０を第１物干し部１０１の上部に設け、第２物干し部１０２及び第３物干し部１０３の下端側が第１物干し部１０１の上端側と係合して移動するようにしてもよい。この場合、第２物干し部１０２を物干し具１００の中央に配置して洗濯物を吊り下げる場合、第２物干し部１０２から吊り下げられた洗濯物が一時的に第１物干し部１０１と干渉するおそれもある。しかし、第２物干し部１０２を右に移動した後は、第２物干し部１０２から吊り下げられた洗濯物が第１物干し部１０１と干渉することはない。従って、第２物干し部１０２及び第３物干し部１０３の下端側が第１物干し部１０１の上端側と係合して移動する構成を採用することもできる。
【００４６】
この場合、図４における支柱４０１、４０２は、その下端側がベランダの床により支持され、その上端側が第１物干し部１０１の下端側に結合されることになる。また、ベランダに限らず、屋内や庭で物干し具１００を用いる場合にも、支持台を床や地面に設置し、支持台の上端側を第１物干し部１０１の下端側に結合することで物干し具１００を支持することができる。
【００４７】
更に、この実施形態では物干し具１００を天井から支持したが、Γ型の支持体を床や地面に配置し、その支持体の“Γ”の上部水平部分にあたる箇所で第１物干し部１０１を支持するようにしてもよい。この場合、庭などの天井がない場所でも、物干し具１００を、第１物干し部１０１の上端側で支持することができる。
このように、物干し具１００の支持手法としては任意の手法を採用することができる。
【００４８】
更にまた、上記実施形態では、図２に示されるようにレール部２１０を第１物干し部１０１に単独で設けているが、レール部２１０を第１物干し部１０１の下端側（又は上端側）に、第１物干し部１０１の長手方向に沿って並列に複数設けてもよい。好ましくは、この係合部としてのレールは、第１物干し部の全長にわたって設けられる。
レール部２１０を二本設ける場合、第１物干し部１０１の下端側の前面側と背面側に、第１物干し部１０１の長手方向に沿った第１レール部及び第２レール部をそれぞれ設けることができる。従って、この場合には第２物干し部１０２及び第３物干し部１０３は、互いに干渉することなく独立して第１物干し部１０１に対して相対移動することができる。その結果、第２物干し部１０２を第１物干し部１０１の左端に移動することも、その逆に第３物干し部１０３を第１物干し部１０１の右端に移動することもできる。更に、第２物干し部１０２及び第３物干し部１０３を重ねた状態でともに第１物干し部１０１の中央に配置することもできる。この場合、物干し具１００は図１に示される状態よりも一層コンパクトな状態となる。
【００４９】
なお、この実施形態及び後述する他の実施形態では、物干し具１００を物干し竿として使用しているが、これに限らず、物干し具１００を任意の物体を吊り下げるための物体吊り下げ具、例えば小物かけ具等として使うこともできる。この場合、物干し具１００、第１物干し部１０１、第２物干し部１０２及び第３物干し部１０３を、それぞれ小物かけ具、第１小物かけ部、第２小物かけ部及び第３小物かけ部として用いることもできる。
また、物干し具１００を任意の物体を吊り下げるための汎用物体吊り下げ具として使うこともできる。この場合、物干し具１００、第１物干し部１０１、第２物干し部１０２及び第３物干し部１０３を、それぞれ物体吊り下げ具、第１物体吊り下げ部、第２物体吊り下げ部及び第３物体吊り下げ部として用いることもできる。
【００５０】
例えば物干し具１００を小物かけ具として押し入れの中に配置して使用する場合、押し入れの扉を開けた正面に物干し具１００を配置して自由に小物等をかけ、また小物を取りはずすことができる。また、第２物干し部１０２及び第３物干し部１０３の少なくとも一方を移動させて押し入れの開いていない扉の裏側に移動させることもできる。これにより、押し入れの空いてない扉の裏側でも自由に小物等をかけて取りはずすことができる。
この構成は、押し入れ前に家具等が配置されて、一方の扉が開けられない場合に特に有用である。
また、第１実施形態では、物干し具１００をベランダの天井部に吊り下げて固定した例を示した。この例は、例えば新築マンション等において物干し具１００を標準装備品としてベランダの天井に設置して販売する場合に適している。しかし、物干し具１００は必ずしも天井に吊り下げる必要はない。物干し具１００は、第２物干し具１０２及び第３物干し具１０３の移動を阻害しない限り、任意の手法で所定の高さに保持することができる。従って、物干し具１００は、地面に配置した適切な物干し台等の保持具によって保持してもよい。また、この実施形態では、保持具は第１物干し部１０１の上端側と係合あるいは結合する例を示すが、以下に示す第２実施形態のように、第１物干し部の上端と下端との間の中間部で第１物干し部１０１を保持することもできる。
【００５１】
[第２実施形態]
第１実施形態では、物干し具１００を天井から支持して固定した例を示したが、この実施形態では、水平突起部を備えた支柱を有する物干し台と、物干し具１００と、を組み合わせて物干し具１００を地面や床から所定の高さに保持する構成を示す。
図５に、水平突起部を備えた支柱により支持された物干し具１００の説明図を示す。この図に示されるように、物干し台５００Ｒは、地面あるいは床に配置される台座５０３から垂直上方に延びた支柱５０１を有し、かつ、支柱５０１の上部には、水平に延びる突起部５０５が設けられている。同様に、物干し台５００Ｌは、地面あるいは床に配置される台座５０４から垂直上方に延びた支柱５０２を有し、かつ、支柱５０２の上部には、水平に延びる突起部５０６が設けられている。なお、説明の簡略化のために、物干し具１００において孔部１１０は省略している。
【００５２】
この実施形態における物干し具１００においては、突起部５０５、５０６よりも大径の支持孔部５１０、５１１がそれぞれ第１物干し部１０１の中間部の右端側及び左端側に設けられている。使用時においては、物干し具１００の支持孔部５１０、５１１にそれぞれ突起部５０５、５０６が挿入されて物干し具１００が保持される。なお、物干し台５００Ｒ、５００Ｌに、物干し具１００の落下防止部を設けても良い。例えば、突起部５０５、５０６の先端に、物干し具１００の落下を防ぐように上方に延びる部分を設けることができる。この上方に延びる部分は、直線形状あるいは円弧等のような曲線形状等、落下を防止するための任意の形状とすることができる。
このような構成とすることで、物干し具１００を簡易な手法で床や地面から所定の高さで保持することができる。特に、庭、室内、押し入れ等の、天井から物干し具１００を吊り下げることが困難な場所においても、物干し具１００を容易に所定の高さに保持することができる。
【００５３】
また、この実施形態では、孔部１１０とは別個に支持孔部５１０、５１１を設けるものとしたが、孔部１１０をそのまま支持孔部５１０、５１１として用いることもできる。
【００５４】
[第３実施形態]
この実施形態では、物干し具１００を長手の支持体に吊り下げて保持する形態を説明する。なお、長手の支持体としては周知の物干し竿等の任意のものを用いることができる。以下、既存の物干し竿に物干し具１００を設ける例を示す。
図６に、この実施形態の説明図を示す。第２実施形態と同様に、第１物干し部１０１には支持孔部５１０、５１１が設けられている。物干し竿６０１は、周知の物干し台等により所定の高さに保持されている。
物干し具１００の第１物干し部１０１の右端部及び左端部には、支持孔部５１０、５１１が設けられている。支持孔部５１０にはＳ字フック６０２の下方端が挿入され、Ｓ字フック６０２の上端は物干し竿６０１に係合して吊り下げられている。同様に、支持孔部５１１には、Ｓ字フック６０３の下方端が挿入され、Ｓ字フック６０３の上端は物干し竿６０１に係合して吊り下げられている。
【００５５】
これら支持孔部５１０、５１１及びＳ字フック６０２、６０３により、物干し具１００は物干し竿６０１に吊り下げられて所定の高さに保持される。なお、この実施形態ではＳ字フックを保持具として用いて物干し竿６０１から物干し具１００を吊り下げて保持するものとしたが、任意の保持具を用いて物干し竿６０１によって物干し具１００を保持することができる。
また、この実施形態では孔部１１０とは別個に支持孔部５１０、５１１を設けるものとしたが、孔部１１０をそのまま支持孔部５１０、５１１として用いることもできる。
【００５６】
[第４実施形態]
この実施形態では、実施形態１で用いた第２物干し部１０２及び第３物干し部１０３を、第１物干し部１０１との間に空隙部が形成されるように変形した例を示す。
図７にこの実施形態に係る物干し具７００を示す。この図に示されるように、物干し具７００は、第１物干し部１０１、第２物干し部７１２及び第３物干し部７１３を有する。第２物干し部７１２の上端側の左端部は、垂直方向上方に延びる突出部７０１となっている。この突出部７０１の上端側が第１物干し部１０１の下端側と係合し、第２物干し部１０２は第１物干し部１０１に対して左右方向に相対移動可能となっている。
【００５７】
同様に、第３物干し部７１３の上端側の右端部は、垂直上方に延びる突出部７０２となっている。この突出部７０２の上端側が第１物干し部１０１の下端側と係合し、第３物干し部７１３は第１物干し部１０１に対して左右方向に相対移動可能となっている。
第１実施形態と同様に、この実施形態においても、ユーザは、物干し具１００の中央近傍で洗濯物の吊り下げ及び取り込みを行うことができる。加えて、この実施形態では、突出部７０１、７０２を設けたことで、第２物干し部７１２及び第３物干し部７１３の上方には、第１物干し部１０１との間にスペースが形成されている。
【００５８】
従って、孔部１１０を用いずとも、第２物干し部７１２の上部にハンガー１０６をかけて洗濯物を吊り下げることが可能である。更に、ハンガー１０６を用いずに、第２物干し部７１２の上部に直接洗濯物をかけて吊り下げることができる。第３物干し部７１３についても同様である。
なお、この実施形態では、突出部７０１は第２物干し部７１２の左右の端部のうち、物干し部１０１の中央に近いほうの端部である左端部に設けた。しかし、この突出部７０１は必ずしも左端部に設ける必要はない。突出部７０１は、第２物干し部７１２及び第３物干し部７１３が第１物干し部１０１に対して移動可能となるのであれば、第２物干し部７１２の任意の位置に設けることができる。
第３物干し部７１３についても同様である。
【００５９】
以上のことから、この実施形態においては、必ずしも孔部１１０を設ける必要はない。孔部１１０が設けられていない場合でも、第２物干し部７１２、第３物干し部７１３の上部に洗濯物をかけて吊り下げることができるからである。従って、この実施形態においては、孔部１１０が設けられているかいないかにかかわらず、物干し具１００に洗濯物を吊り下げることができる。また、上述の各実施形態と同様に、物干し具１００を任意の物体を吊り下げるための物体吊り下げ具として用いることができる。
また、他の実施形態では、第１物干し部、第２物干し部、第３物干し部に、それぞれ１つ以上の孔部１１０を設けることが好ましいが、この実施形態においては、孔部１１０を設けないようにしてもよい。上述のように、孔部１１０を設けずとも第２物干し部７１２あるいは第３物干し部７１３の上部にハンガー１０６をかけて洗濯物を吊り下げることが可能であるからである。
【００６０】
[第５実施形態]
この実施形態では、孔部１１０の大きさを変えた例を示す。
図３（ｂ）、（ｄ）に示されるように第２物干し部１０２が第１物干し部１０１の中央から最も離れた右側位置にある場合、吊り下げられた洗濯物の重量により、両者の係合部に大きな負荷あるいは回転モーメントがかかる。第３物干し部１０３についても同様である。
このように、第２物干し部１０２及び第３物干し部１０３を第１物干し部１０１の中央から遠い位置に移動した状態、つまり図３（ｂ）、（ｄ）に示される状態で、第１物干し部１０１の中央から遠い位置に配置される孔部１１０には、軽量の物体を吊り下げることが好ましい。
【００６１】
図８にこの実施形態における物干し具８００の説明図を示す。なお、この図では、説明の簡素化のために、チェーン１０４、１０５等は省略している。この実施形態では、図８に示すように、第１物干し部は実施形態１における第１物干し部１０１と同じ構成となっている。しかし、図８に示される第２物干し部８０２及び第３物干し部８０３は、実施形態１における第２物干し部１０２及び第３物干し部１０３とは異なる構成となっている。
図８に示されるように、第２物干し部８０２及び第３物干し部８０３に設けられる孔部１１０には、孔部１１０ａ〜１１０ｈが含まれ、大きさが異なる孔部が含まれている。これは、ユーザに対して、軽い洗濯物を吊り下げることを視覚的に促すためである。
孔部１１０が大きい場合、ハンガーを吊り下げる際に細かい位置合わせは必要ないことなどから、静止状態で保持することが困難である重い物体も比較的容易に孔部１１０に吊り下げることが可能である。また、大きい孔部１１０には、それにあわせて大きい物体（従って、密度が一定であるとすると相対的に重い物体）が吊り下げ可能であるとの心理も働く。
【００６２】
一方、孔部１１０が小さい場合、ハンガーを吊り下げる際に細かい位置合わせが必要であることから、静止状態で保持することが困難である重い物体は小さい孔部１１０には吊り下げにくい。また、小さい孔部１１０には、それにあわせて小さい物体（従って、密度が一定であるとすると相対的に軽い物体）が吊り下げ可能であるとの心理も働く。
以上のことから、この実施形態では、物干し具８００の中央部から遠い位置に配置された孔部１１０の大きさを、物干し具８００の中央部に近い位置にある孔部１１０の大きさよりも小さくした。
【００６３】
図８に示されるように、第２物干し部８０２には、その物干し具８００の中央に近い順に孔部１１０ａ、１１０ｂ、１１０ｃ、１１０ｄ、１１０ｅ、１１０ｆ、１１０ｇ及び１１０ｈが設けられている。孔部１１０ａ、１１０ｂ、１１０ｃは、いずれも図１及び図３（ａ）〜（ｅ）に示される物干し具１００の孔部１１０と同じ大きさである。これらの孔部１１０は、いずれも物干し具１００の中央に比較的近く、比較的重い洗濯物を吊り下げてもよいからである。一方、孔部１１０ｄ、１１０ｅ、１１０ｆ、１１０ｇ及び１１０ｈについては、物干し具１１０の中央から遠ざかるに従って小さくなっている。なお、第３物干し部８０３についても同様である。
【００６４】
従って、この実施形態では、物干し具８００の孔部１１０のうち少なくとも一部については、その中央部から遠ざかるにつれて孔部１１０が小さくなるようにしている。これにより、ユーザに対して、中央部から遠く小さい孔部１１０に軽量の洗濯物や物体を吊り下げることを促すことができ、物干し具１００にかかる負荷や回転モーメントを小さくしている。特に、第１物干し部１０１と第２物干し部１０２又は第３物干し部１０３との接合部にかかる負荷や回転モーメントが小さくなっている。
【００６５】
なお、この実施形態では、一部の孔部１１０は同じ大きさとし、他の孔部１１０は中央部から遠ざかるにつれて小さくなるようにした。しかし、物干し具１００の全ての孔部１１０について、中央部から遠ざかるにつれて、孔部１１０が小さくなるようにしてもよい。少なくとも、孔部１１０のうち１つは、物干し具１００の中央部から遠い位置に設けられていて、この中央部に近い孔部１１０よりも小さくなるようにされていればよい。好ましくは、中央部から最も遠い位置にある孔部については、他の孔部よりも小さくする。
【００６６】
[第６実施形態]
この実施形態では、第１実施形態における第１物干し部１０１、第２物干し部１０２及び第３物干し部１０３をいずれも円の一部、つまり円弧状に変形されたものとし、かつその曲率半径をすべて同一の値とした。
この実施形態に係る円弧状の物干し具９００の平面図を図９（ａ）、（ｂ）に示す。
他の実施形態においては、第１物干し部９０１、第２物干し部９０２及び第３物干し部９０３はいずれも直線状としている。しかし、図９（ａ）、（ｂ）に示される第１物干し部９０１、第２物干し部９０２及び第３物干し部９０３は、いずれも曲率半径が等しい円弧状であり、第１物干し部１０１に沿って、その左端方向又は右端方向に自由に移動可能とすることができる。
図９（ａ）では、第２物干し部９０２及び第３物干し具９０３が第１物干し部９０１の中央で接触している。これにより、第２物干し部９０２の右端と第３物干し部９０３の左端との間の距離は最も短くなり、物干し具９００が全体としてコンパクトになった状態を示している。
一方、図９（ｂ）では、第２物干し部９０２及び第３物干し具９０３は、それぞれ第１物干し部９０１右端及び左端に移動された状態となっている。これにより、物干し具９００は、第２物干し部９０２及び第３物干し具９０３が引き出されて、洗濯物等を吊すことができる領域が最大と成っている。
また、第２物干し部９０２、第３物干し部９０３は、洗濯物等を吊すユーザからみて左右方向に移動するだけでなく、奥行き方向にも移動する。従って、この物干し具９００は、第２物干し部１０２、第３物干し部１０３の先端がベランダ外に突出するようにベランダに設置することもできる。
この場合、物干し具９００の一部がベランダ内で占有する空間を小さくすることができ、ベランダを広く使うことができる。
【００６７】
以上のように、本発明に係る物干し具１００は、各実施形態に記載されるように様々な形態をとり得るが、その他の形態を取ることもできる。
例えば、各実施形態では、第１物干し部１０１の全長は、第２物干し部１０２の全長と第３物干し部１０３の全長との総和よりも短くした例を示している。しかし、第１物干し部の全長を上記総和より長くして、その上に布団やシーツ等の幅広の洗濯物等を干すことができるようにしてもよい。
この場合、第１物干し部の上端側に角が形成されないようカーブさせて曲線形状とすることで、タオルやシーツに折れ線がつかないようにすることが好ましい。
【００６８】
また、第２実施形態に示されるように、物干し具１００は、第１物干し部の上部側以外の位置、例えば第１物干し部において孔部１１０が形成された中間部で保持具に取付けることで所定の高さに保持することが可能である。この場合、第１物干し部の上端側には支柱等が設けられることがない。従って、第１物干し部１０１の上端に、第１物干し部１０１に対して自由に相対移動できるカバー等を取付けることもできる。
【００６９】
図１０にこの構成を示す。この図において、物干し具１０００は、第１物干し部１０３１、第２物干し部１０３２及び第３物干し部１０３３を有する。第１物干し部１０３１の長手方向中央部には固定された第１カバー１００１、第１物干し部１０３１の右端から突出する位置にまで移動可能に設けられた第２カバー１００２及び第１物干し部１０３１の左端から突出する位置にまで移動可能に設けられた第３カバー１００３が設けられている。これら第１カバー１００１、第２カバー１００２及び第３カバー１００３は、いずれもその上面がドーム状の曲面として形成されている。
【００７０】
図１０に示されるように、第１カバー１００１に第２カバー１００２及び第３カバー１００３が接触した状態でも幅広の洗濯物等をかけることができる。
また、第２カバー１００２及び第３カバー１００３を、それぞれ第１物干し部１０３１の右側及び左側から突出する位置に移動させることで、物干し具１００の全長は、その突出した長さだけ実質的に長くなる。
【００７１】
更に、第２物干し部１０３２の左下側にはリング１００６を介してロッド１００４が吊り下げられ、同様に、第３物干し部１０３３の右下側にはリング１００７を介してロッド１００５が吊り下げられている。図１に示したチェーン１０４、１０５と同様に、このロッド１００４、１００５を引っ張ることで、第２物干し部１０３２及び第３物干し部１０３３を容易に移動させることができる。
第１物干し部１０３１は、その右端側に設けられた支持孔と左端側に設けられた支持孔を、支持体１００８及び支持体１００９の突出部にそれぞれ挿入することで支持される。これにより、物干し具１０００が所定の高さに保持される。
また、雨風をよけるための屋根を設けてもよい。この屋根は、例えばスケルトンタイプとすることもできる。
【００７２】
なお、各実施形態においては、第１物干し部、第２物干し部、及び第３物干し部は剛性を有するものとして説明した。しかし、例えば第１物干し部は剛性を有するものとして形成し、第２物干し部及び第３物干し部を、洗濯物や物体と吊り下げるに十分な強度を有してかつ柔軟性を有するものとすることもできる。この場合、第２物干し部及び第３物干し部において、第１物干し部と係合する部分は第１物干し部の形状にあわせて柔軟に変形することになる。従って、この場合でも、第２物干し部及び第３物干し部を、第１物干し部に沿って、その左端方向又は右端方向に自由に移動可能とすることができる。
【００７３】
また、各実施形態は必要に応じて任意に組み合わせることができる。例えば第１〜第５実施形態に示された実施形態を第６実施形態と組み合わせることもできる。
更に、本発明に係る物体吊り下げ具は、ユーザが移動することなく、あるいは移動範囲を抑えて、物体を物体吊り下げ具の端にまで吊り下げることができる。従って、老人や障がい者など、自由な移動が困難な人にとっても、できるだけ移動することなく洗濯物を吊り下げ、取り込むことができるという利点がある。
【００７４】
[第７実施形態]
次に、本発明の一実施形態にかかるテープカッターを、図面を参照して説明する。
図１１は、この実施形態に係るテープカッター２０００の正面図である。また、テープロール１３００に２つのテープカッター２０００Ａ、２０００Ｂを取付けた状態の説明図を図１２（ａ）、（ｂ）に示す。更に、保持具１１００、カッター部１２００及びテープロール１３００の説明図を図１３（ａ）〜（ｆ）に示す。
図１１に示されるように、テープカッター２０００は、保持具１１００と、切断歯１２０３を備えたカッター部１２００と、から構成される。カッター部１２００は、保持具１１００に対して着脱自在であり、図１１は、カッター部１２００を保持具１１００に装着した状態を示す。
【００７５】
図１１に示されるように、保持具１１００の内部には空洞部Ｃが形成されている。図１２（ａ）、（ｂ）に示されるように、保持具１１００は、テープロール１３００がこの空洞部Ｃを貫通するようにテープロールに取付けられる。その結果、保持具１１００は、テープロールの周に沿ってテープロール上を移動する。なお、テープロール１３００のテープ１３０１は、その両面の少なくとも一方が粘着面となっている。
テープを切断する場合、テープロール１３００からテープを延ばし、図１１に示されるカッター部１２００の切断歯１２０３にテープの粘着面を付着させ、切断歯１２０３の表面と垂直な方向にテープを引っ張る。その結果、切断歯の先端においてテープが切断される。この際、切断歯の表面に残ったテープは、テープの粘着面の接着力によって切断歯の表面上に残る。
【００７６】
なお、この実施形態では、図１２（ａ）に示されるように、２つのテープカッター２０００Ａ、２０００Ｂがテープロール１３００に取付けられる。この図に示されるように、テープカッター２０００Ａは、カッター部１２００Ａが保持具１１００Ａに取付けられた状態でテープロール１３００に設けられている。また、テープロールから延びたテープは、その端部が切断歯１２０３の表面に付着している。この状態から何らかの物体にテープを貼る場合、図１２（ｂ）に示されるように、カッター部１２００Ａを保持具１１００Ａから離脱させる。
その後、カッター部１２００Ａを、テープを貼る対象となる物体の近傍へと移動させる。テープの端部は切断歯１２０３に付着しているので、この移動により、テープロールから延びるテープの端部もカッター部１２００とともに移動することになる。
また、保持具１１００Ａ、１１００Ｂ同士は、互いに着脱自在で、両者が分離して、あるいは一体となって動くことがそれぞれ可能とされている。例えば、保持具１１００Ａと１１００Ｂとにそれぞれ凹部と凸部を設け、一方の凸部に一方の凹部をはめ込むことで両者を固定可能とできる。また、これら保持具１１００Ａ、１１００Ｂを磁力により結合可能としてもよい。例えば、保持具１１００Ａ、１１００Ｂの少なくとも一方に磁化された部位を設け、テープロール１３００に両者が取付けられた状態で、磁力によりこれら保持具同士が互いに引き合い、両者がある程度近づくと互いに磁力で結合するようにしてもよい。なお、保持具同士だけでなく、保持具とカッター部等、任意の２つの部材同士を、上述の凹部と凸部や磁力等により着脱自在に係合させることができる。
【００７７】
図１３（ａ）〜（ｆ）に、保持具１１００、カッター部１２００及びテープロール１３００の説明図を示す。
図１３（ａ）は、保持具１１００の左側面図、図１３（ｂ）は、保持具１１００の正面図を示す。これらの図に示されるように、保持具１１００は、左側面１１０１、底面１１０２、右側面１１０３を有する。また、右側面１１０３からは下蓋部１１０４が、左側面からは上蓋部１１０５がそれぞれ延びている。この実施形態では、保持具１１００は可撓性を有し、上蓋部１１０５と下蓋部１１０４とが左右に開くことで、保持具１１００の上部が開放される。このように保持具１１００の上部を開放することで、テープロール１３００を保持具１１００の空洞部Ｃに挿入することができる。その後、左右に開いた上蓋部１１０５と下蓋部１１０４を、図１３（ｂ）に示される元の状態に戻すことで、保持具１１００をテープロール１３００に取付けることができる。なお、この実施形態は一例であり、保持具１１００は、テープロール１３００に対して、その周を移動可能に取付けることができるのであれば、どのような形態で取付けてもよい。
また、保持具１１００下方には、右凸部１１０５Ｒと左凸部１１０５Ｌとが形成されている。
【００７８】
一方、図１３（ｃ）は、カッター部１２００の左側面図、図１３（ｄ）は、カッター部１２００の正面図を示す。これらの図に示されるように、カッター部１２００は、左側面１２０１、右側面１２０２、切断歯１２０３を有する。左側面１２０１と右側面１２０２とは、切断歯１２０３に固定され、かつ、この切断歯１２０３を介して互いに対向する。左側面１２０１において右側面１２０２に対向する側の面には左凹部１２０４Ｌが設けられている。同様に、右側面１２０２において左側面１２０１に対向する側の面には、右凹部１２０４Ｒが設けられている。
また、図１３（ｃ）に示されるように、切断歯１２０３は、その根本部、即ちテープを切断する端部と反対側の端部は、その側面側からみたときに、左側面１２０１、右側面１２０２から突出するように配置されることが好ましい。これにより、テープ１３０１が切断歯１２０３に付着した状態で、テープ１３０１が切断歯１２０３の根本部とともにカッター部１２００から突出する。従って、図１４（ａ）、（ｂ）に示されるように、テープ１３０１を接着するときに、テープが貼られる物体に直接テープを接触させることができ、テープ１３０１の位置決めがしやすくなる。
【００７９】
保持具１１００とカッター部１２００とは、互いに着脱可能に係合される。この実施形態においては、保持具１１００の右凸部１１０５Ｒ及び左凸部１１０５Ｌにカッター部１２００の右凹部１２０４Ｒ及び左凹部１２０４Ｌがそれぞれはまり合うことで、カッター部１２００が保持具１１００を挟み込む。これにより、カッター部１２００は保持具１１００に装着され、両者が固定される。なお、この実施形態は一例であり、保持具１１００とカッター部１２００とは任意の手法で着脱自在に取付けることができる。
なお、この実施形態は一例であり、種々の変更が可能である。例えば、１つの保持具１１００に複数の凸部を設け、これに対応して１つのカッター部１２００に複数の凹部を設けてもよい。
【００８０】
図１３（ｅ）はテープロール１３００の左側面図、図１３（ｆ）はテープロール１３００の正面図である。テープロールは、テープ１３０１がロール状に巻回されて形成されている。なお、テープ１３０１は、テープ芯の周囲に巻回されることもあるが、図面を簡略化するために、テープ芯は記載を省略している。
【００８１】
以下、テープロールから引き出したテープ１３０１を所望の物品や対象物に貼り付ける手法を説明する。なお、この実施例では、テープ１３０１を封筒に貼り付ける例を説明する。
図１４（ａ）〜（ｃ）に、この実施形態におけるテープ１３０１の貼り方の説明図を示す。
ユーザは、図１２（ａ）に示される、カッター部１２００Ａ、１２００Ｂがそれぞれ保持具１１００Ａ、１１００Ｂに保持された状態で、カッター部１２００Ａを手に持つ。その後、ユーザは、手に持ったカッター部１２００を保持具１１００Ａから離脱させる。これにより、カッター部１２００は、図１２（ｂ）に示されるように、テープロール１３００から延びるテープ１３０１の端部とともに保持具１１００から離脱される。
従って、カッター部１２００Ａを封筒Ｆの近傍へと移動させと、テープロール１３００から延びるテープ１３０１の端部も、切断歯１２０３Ａとともに封筒Ｆの近傍に移動する。
【００８２】
その後に、ユーザは、図１４（ａ）に示されるように、切断歯１２０３Ａに付着しているテープ１３０１の粘着面の一部を封筒Ｆに貼り付ける。
その後、ユーザは、図１４（ｂ）に示されるように、所望の長さのテープ１３０１を封筒Ｆに貼り付けて、テープ１３０１を切断する。この際、カッター部１２００Ａはテープロール１３００から離脱しているので、図１４（ｂ）に示されるように、テープロール１３００には、カッター部１２００Ｂ及びその切断歯１２０３Ｂのみが取付けられた状態となっている。この状態で、テープロール１３００から延びるテープ１３０１を切断歯１２０３Ｂで切断することもできる。
【００８３】
しかしながら、カッター部１２００Ｂとテープロール１３００から延びるテープ１３０１との間には保持具１１００Ａが介在している。従って、場合によっては、保持具１１００Ａが邪魔になってカッター部１２００Ｂにおけるテープ１３０１を切断しにくくなるおそれもある。従って、この実施形態では、カッター部１２００Ｂを保持具１１００Ｂから離脱させて、保持具１１００Ａに入れ替えて装着する。この際、図１４（ａ）の状態で、ユーザの一方の手はカッター部１２００Ａを保持し、他方の手はテープロール１３００を保持している。しかし、カッター部１２００Ａに付着しているテープ１３０１の一部を封筒Ｆに貼り付けた後は、テープ１３０１は封筒Ｆに固定される。従って、ユーザはカッター部１２００Ａを保持する必要はない。このことから、ユーザは両手を使ってテープロール１３００の保持及びカッター部１２００Ｂの入れ替えを行うことができる。
【００８４】
その結果、図１４（ｂ）に示されるように、ユーザは、切断歯１２０３Ｂによってテープ１３０１を容易に切断することができ、その後にテープ全体を封筒Ｆに貼り付けることができる。
なお、テープ１３０１の切断歯１２０３Ａに付着した部分は、封筒Ｆにテープの少なくとも一部を貼り付けた後であれば、切断歯１２０３Ｂによるテープの切断前、切断後のいずれの時点においても切断歯１２０３Ａから剥がして封筒Ｆに貼り付けることができる。
【００８５】
更に、図１３（ｃ）で説明したように、この実施形態では、切断歯１２０３は、その根本部が左側面１２０１、右側面１２０２から突出しているので、テープ１３０１を接着するときに、テープが貼られる物体に直接テープを接触させることができ、テープ１３０１の位置決めがしやすくなる。
このようにして、切断されたテープ１３０１全体を封筒Ｆに貼り付けた後には、カッター部１２００Ｂは保持具１１００Ａに装着されており、保持具１１００Ｂには何も装着されておらず、カッター部１２００Ａは、保持具１１００Ａから離脱した状態となっている。従って、ユーザは、カッター部１２００Ａを、開いている保持具１１００Ｂに装着する。
また、テープ１３０１の切断歯１２０３Ａから剥がされた部分は封筒Ｆに貼り付けられていない状態で残るので、ユーザは、この端部Ｅを封筒に押しつけて貼り付ける。
【００８６】
これにより、ユーザは、テープ１３０１の粘着面に手を触れることなくテープ１３０１を所望の長さに切断し、テープが貼り付けられる物体の所望の位置に容易にテープを貼り付けることができる。
なお、この実施形態では、２つのテープカッター２０００Ａ、２０００Ｂをテープロール１３００に取付けた例を示した。しかし、テープロールに単一のテープカッター２０００のみを取付ける構成としてもよい。この場合のテープ１３０１を切断する状態を図１５（ａ）〜（ｃ）に示す。図１５（ａ）に示されるように、テープ１３０１を封筒Ｆに貼り付けた状態ではテープロール１３００にはテープ１３０１を切断するための切断歯はない。従って、ユーザは、カッター部１２００をテープ１３０１から剥がして保持具１１００に装着する。
【００８７】
その状態を図１５（ｂ）に示す。この図に示されるように、カッター部１２００は保持具１１００に装着され、その切断歯１２０３によりテープ１３０１を切断することができる。また、テープ１３０１の端部Ｅは、切断歯１２０３から剥がされた状態で封筒Ｆに貼り付けられていない状態で残るので、ユーザは、この端部Ｅを封筒に押しつけて貼り付ける。
【００８８】
以上説明したように、この実施形態では、ユーザは、テープ１３０１の粘着面に直接手を触れることなく、所望の長さにテープ１３０１を切断して所望の位置に貼り付けることができる。
【００８９】
また、変形例として、図１３（ｂ）に示される保持具１１００に、ローラ及びマジックテープを設けることもできる。この例を図１６に示す。図１６において、保持具１１２０は、底面１１０２にベルトローラ１１２１が、下蓋部１１０４にはベルトローラ１１２２が設けられている。これらベルトローラ１１２１、１１２２は、空洞部Ｃにテープロール１３００が配置されたときに、テープロール１３００を上下から挟んでそれぞれ回転する。従って、テープロール１３００をガタつかせることなく保持することができる。また、テープを使っていく内にテープロールの厚みが薄くなっていった場合でも、ベルトローラを弾性部材で形成することで、その弾性によりテープロールのガタつきを抑制することができる。
【００９０】
更に、この例では、図１３（ｂ）における上蓋部１１０５を凸型の変形上蓋部１１２５とし、ベルトローラ１１２２のを収容できる空間Ｓを形成するようにした。ベルトローラ１１２２は、その一部が下蓋部１１０４から突出するが、その突出部は空間Ｓに収容されるので、ベルトローラ１１２２による干渉を受けずに変形上蓋部１１２５を下蓋部１１０４に重ねることができる。また、下蓋部１１０４及び変形上蓋部１１２５には、それぞれマジックテープ１１２３、１１２４を設け、変形上蓋部１１２５と下蓋部１１０４とを固定するようにした。その他の構成は、図１３（ｂ）と同様であり、説明を省略する。
【００９１】
[第８実施形態]
本発明の一実施形態にかかるテープカッターを、図面を参照して説明する。
図１７（ａ）〜（ｃ）に、この実施形態に係る、本体部１５１０とカッター部１５０１〜１５０４とを備えたテープカッターの説明図、図１８（ａ）、（ｂ）に、本体部１５１０の構成要素の平面図、図１９（ａ）に、カッター部１５０１の斜視図、図１９（ｂ）に、カッター部１５０１の構成要素の平面図を示す。
【００９２】
図１７（ａ）において、テープカッター１５００は、扇型（あるいは４分円形状）のカッター部１５０１、１５０２、１５０３及び１５０４と、本体部１５１０とにより構成される。これらカッター部１５０１〜１５０４は本体部１５１０に着脱自在に設けられ、これらカッター部１５０１〜１５０４が本体部１５１０に装着された状態で、テープカッター１５００はほぼ正方形状となる。なお、図１７（ａ）〜（ｃ）においては、図面を見やすくするために、テープカッター１５００の右側に位置する構成要素である、後述する本体部右側板１５１１、カッター部右側板１５０１Ｒ、１５０２Ｒ、１５０３Ｒ及び１５０４Ｒを省略している。また、特に断りのない限り、図面を見やすくするために、図１７（ａ）〜（ｃ）において、カッター部１５０１Ｌ〜１５０４Ｌは、すべて「Ｌ」を省略し、単にカッター部１５０１〜１５０４として記載している。
【００９３】
また、この実施形態では、ユーザがとがった角で怪我をすることを避けるために、カッター部１５０１〜１５０４において、正方形の角となる部分は丸めてある。
図１８（ａ）、（ｂ）に、本体部１５１０の構成要素の平面図を示す。図１８（ａ）に示されるように、本体部１５１０は、左側板１５１１Ｌ、右側板１５１１Ｒ及び円筒形のテープホルダ１５１２により構成される。図１８（ｂ）には、左側板１５１１Ｌ、テープホルダ１５１２及び右側板１５１１Ｒを組み立てた状態の左側板１５１１Ｌを下にした状態での平面図を示す。左側板１５１１Ｌ、テープホルダ１５１２及び右側板１５１１Ｒは互いに着脱自在となっており、左側板１５１１Ｌ、右側板１５１１Ｒの一方を外した状態でテープロール１３００をテープホルダ１５１２にはめ込み、その後に左側板１５１１Ｌ、テープホルダ１５１２又は右側板１５１１Ｒをテープホルダ１５１２装着することで、テープホルダ１５１２にテープロール１３００が装着される。
【００９４】
図１９（ａ）に、カッター部１５０１の斜視図を示す。また、図１９（ｂ）に、カッター部１５０１の構成要素である、カッター部左側板１５０１Ｌ、カッター部右側板１５０１Ｒ及び切断歯１５３１の平面図を示す。これらの図に示されるように、カッター部１５０１は、カッター部左側板１５０１Ｌ、カッター部右側板１５０１Ｒ及び切断歯１５３１により構成される。図示されるように、カッター部左側板１５０１Ｌとカッター部右側板１５０１Ｒとは、切断歯１５３１を介して固定されている。
【００９５】
なお、カッター部１５０２〜１５０４の構成は、カッター部１５０１と同様である。従って、カッター部１５０２は、カッター部左側板１５０２Ｌとカッター部右側板１５０２Ｒとが切断歯１５３２を介して固定されて形成される。カッター部１５０３は、カッター部左側板１５０３Ｌとカッター部右側板１５０３Ｒとが切断歯１５３３を介して固定されて形成される。カッター部１５０４は、カッター部左側板１５０４Ｌとカッター部右側板１５０４Ｒとが切断歯１５３４を介して固定されて形成される。
【００９６】
図１７（ａ）に示されるように、カッター部１５０１は、任意の手法により、本体部１５１０に対してスライド可能に取付けられる。この実施形態では、本体部を磁石として、各カッター部１５０１〜１５０４を強磁性体で形成することで、カッター部１５０１を本体部１５１０に対してスライド可能に取付けることができる。このテープカッター１５００において、テープホルダ１５１２にテープロール１３００を回転可能に収容し、切断歯１５３１〜１５３４でテープ１５３１を切断することができる。テープ１５３１の切断の仕方等は第７実施形態と同様である。
【００９７】
図１７（ｂ）に、テープホルダ１５１２にテープロール１３００を装着して切断部１５３１でテープ１３０１を切断し、更にカッター部１５０１を本体部１５１０から離脱させた状態を示す。このように、第７実施形態と同様に、第８実施形態においても、カッター部１５０１の切断歯１５３１にテープ１３０１の粘着面を付着させた状態で、カッター部１５０１を本体部１５１０から離脱させることができる。なお、他のカッター部１５０２〜１５０４についても同様である。
【００９８】
図１７（ｃ）に示されるように、第７実施形態と同様に、第８実施形態においても、テープ１３０１を容易に封筒等の接着対象となる物体に対して容易に接着させることが可能となる。
また、第７実施形態と同様に、この実施形態においても、図１７（ｂ）に示される初期状態ではテープ１３０１は切断歯１５３１に接着していたが、図１７（ｃ）に示される、テープ１３０１を切断した状態では、テープ１３０１は、切断歯１５３２に接着されている。
なお、第８実施形態では４つのカッター部１５０１〜１５０４を用いたが、カッター部を２つのみ設ける構成としてもよい。この構成を図２０（ａ）、（ｂ）に示す。図２０（ａ）に示されるように、テープカッター１６００は、２つのカッター部１６０１、１６０２を有し、初期状態ではテープ１３０１は、カッター部１６０１の切断歯１６３１に付着している。そして、図２０（ｂ）に示されるように、テープ１３０１をカットした後には、テープ１３０１は切断歯１６３２に付着される。なお、その他の構成は、第８実施形態と同様である。
【００９９】
なお、いずれの実施形態においても、ユーザが洗濯物等の物体を吊り下げ、また、ユーザがテープの切断及び貼り付けを行う例を示した。しかし、本発明にかかる物干し具やテープカッターは、人間が操作する場合に限られるものではなく、例えば機械により物体の吊り下げを行う場合や、機械によりテープの切断及び貼り付けを行う場合にも適用可能である。
【符号の説明】
【０１００】
１００…物干し具、１０１…第１物干し部、１０２…第２物干し部、１０３…第３物干し部、１０４、１０５…チェーン、１０６…ハンガー、１１０…孔部、５１０、５１１…支持孔部、２０１Ｂ、２０１Ｆ…爪、２１０…レール部、４０１…支柱、１１００、１１００Ａ、１１００Ｂ…保持具、１１２１、１１２２…ベルトローラ、１１２３…マジックテープ、１１２５…変形上蓋部、１２００、１２００Ａ、１２００Ｂ…カッター部、１２０１…左側面、１２０２…右側面、１２０３…切断歯、１３００…テープロール、１３０１…テープ、１５００…テープカッター、１５０１〜１５０４…カッター部
【図１】
0006596206.tif 000002
【図２】
0006596206.tif 000003
【図３】
0006596206.tif 000004
【図４】
0006596206.tif 000005
【図５】
0006596206.tif 000006
【図６】
0006596206.tif 000007
【図７】
0006596206.tif 000008
【図８】
0006596206.tif 000009
【図９】
0006596206.tif 000010
【図１０】
0006596206.tif 000011
【図１１】
0006596206.tif 000012
【図１２】
0006596206.tif 000013
【図１３】
0006596206.tif 000014
【図１４】
0006596206.tif 000015
【図１５】
0006596206.tif 000016
【図１６】
0006596206.tif 000017
【図１７】
0006596206.tif 000018
【図１８】
0006596206.tif 000019
【図１９】
0006596206.tif 000020
【図２０】
0006596206.tif 000021